(57)【要約】【課題】カウンター等の取付基体の表側に水栓本体を露出する状態で設けた場合においても、支障なく水抜きを行うことを可能とする水抜栓付水栓を提供する。【解決手段】主水路２０と、主水路２０を開閉するダイヤフラム弁２２と、背圧室２８と、パイロット水路３０と、パイロット弁としての電磁弁３２と、センサ１８とを有する自動水栓１０において、吐水口側水路２０Ｂに連通する水抜孔５８と、水抜孔５８を開閉する栓体６０とを有し、ダイヤフラム弁２２を閉弁状態に維持したまま吐水口側水路２０Ｂ内の水を水抜孔５８より水抜可能な水抜栓５６を水栓本体１２に設ける。【選択図】        図２
2005232829.tif 000002
【特許請求の範囲】
【請求項１】
（イ）給水配管からの水を吐水口に導く主水路と
（ロ）該主水路上に設けられて該主水路を開閉する主弁と
（ハ）該主弁の背面側に形成されて該主弁に対し閉弁方向の圧力を作用させる背圧室と
（ニ）該背圧室と前記主水路における前記主弁より下流側の吐水口側水路とを連絡するパイロット水路と
（ホ）該パイロット水路上に設けられて該パイロット水路を開閉するパイロット弁と
を有し、該パイロット弁の開弁により該パイロット水路を開放して前記背圧室内の水を前記主水路の前記吐水口側水路に流し、前記主弁を開弁させて前記吐水口から吐水させる一方、該パイロット弁の閉弁により該パイロット水路を遮断し、該背圧室の圧力を増大させて該主弁を閉弁させる水栓において、
前記吐水口側水路に連通する水抜孔と、該水抜孔を開閉する栓体とを有し、前記主弁を閉弁状態に維持したまま該吐水口側水路内の水を該水抜孔より水抜可能な水抜栓が備えてあることを特徴とする水抜栓付水栓。
【請求項２】
請求項１において、前記主弁がダイヤフラム弁であることを特徴とする水抜栓付水栓。
【請求項３】
請求項１，２の何れかにおいて、前記パイロット弁が電磁弁等の電気駆動弁であることを特徴とする水抜栓付水栓。
【請求項４】
請求項１〜３の何れかにおいて、前記主弁，背圧室，パイロット水路，パイロット弁及び水抜栓がカウンター等の取付基体の表側に露出した水栓本体に設けてあることを特徴とする水抜栓付水栓。
【請求項５】
請求項１〜４の何れかにおいて、前記水栓がセンサを備え、該センサによる人体感知に基づいて自動的に吐水する自動水栓であることを特徴とする水抜栓付水栓。
【請求項６】
請求項１〜５の何れかにおいて、操作力の入力により前記パイロット弁を開弁させ且つ該操作力が除かれた後においても該パイロット弁を設定時間開弁状態に保持させるスイッチが設けてあることを特徴とする水抜栓付水栓。
【発明の詳細な説明】
【技術分野】
【０００１】
この発明は水栓に関し、詳しくは水抜栓付きの水栓に関する。
【背景技術】
【０００２】
従来、公共トイレの手洗用水栓等として、センサにより人体感知して吐水口から自動的に吐水する自動水栓が広く使用されている。
この種公共用として使用されている自動水栓は、一般に図８に示しているように手洗器２００やカウンター等の取付基体の表側に露出した吐水部２０２と、これより離隔してカウンター等の下側に設置されたボックス部２０４とを有していて、そのボックス部２０４内部に各種機能を備えた水栓本体を収納した形態をなしている。
ここで吐水部２０２は先端部に吐水口２０６を備えていて、センサ２０８の前方に手を差し出すと、センサ２０８による人体感知に基づいて吐水口２０６から自動的に吐水するようになっている。
【０００３】
一方ボックス部２０４内部の水栓本体には、図９に示しているように給水配管２１０（図８参照）からの水を吐水口２０６に導く主水路２１２上に設けられた主弁としてのダイヤフラム弁２１４と、ダイヤフラム弁２１４の背面側に形成されてダイヤフラム弁２１４に対し閉弁方向の圧力を作用させる背圧室２１６と、背圧室２１６と主水路２１２におけるダイヤフラム弁２１４より下流側の吐水口側水路２１２Ｂとを連絡するパイロット水路２１８と、パイロット水路２１８上に設けられてこれを開閉するパイロット弁としての電磁弁２２０とが備えられている。
【０００４】
この水栓本体側では、電磁弁２２０を開弁するとパイロット水路２１８が開放され、背圧室２１６内の水がパイロット水路２１８を通じて主水路２１２における吐水口側水路２１２Ｂへと流れ込み、背圧室２１６の圧力が消失する。
ここにおいて主弁としてのダイヤフラム弁２１４が給水圧により開弁し、主水路２１２におけるダイヤフラム弁２１４より上流側の配管側水路２１２Ａの水が吐水口側水路２１２Ｂへと流通して、吐水部２０２の先端部の吐水口２０６から吐水される。
【０００５】
一方電磁弁２２０を閉弁させてパイロット水路２１８を遮断すると、配管側水路２１２Ａの水がダイヤフラム弁２１４を貫通する小孔の連通孔２２２を通じて背圧室２１６内に流入し、これにより背圧室２１６の圧力が増大して、その増大した圧力によりダイヤフラム弁２１４が弁座２２４に着座させられる。即ちダイヤフラム弁２１４が閉弁する。
ここにおいて主水路２１２が遮断された状態となって、吐水口２０６からの吐水が停止する。
【０００６】
ここで電磁弁２２０は、センサ２０８による人体（使用者）の感知，非感知に基づいて制御部の制御の下に開閉する。
従ってセンサ２０８による人体の感知，非感知に基づいて吐水口２０６からの吐水と吐水停止とが自動的に行われる。
【０００７】
ところで寒冷地向けの自動水栓においては、水栓を使用しない夜間等において、凍結による機器等破損防止のために給水配管側の水を抜いた上で、水栓内の水を抜いておく必要がある。
そのため寒冷地向けの自動水栓にあっては、水栓本体に図９に示す水抜機構２２６が設けられている。
【０００８】
この水抜機構２２６はロッド状の操作部材２２８を有しており、水栓本体外部に露出した回転操作つまみ２３０を回転操作して操作部材２２８をねじ送りにより図中上方に前進させることで、ダイヤフラム弁２１４を強制的に図中上方に押し上げてこれをリフトアップ、即ちダイヤフラム弁２１４を弁座２２４から離間させて開弁させる。
【０００９】
この水抜機構２２６では、予め給水配管２１０の水を抜いた上で、操作部材２２８を図中上方に前進させてダイヤフラム弁２１４を押し上げ、開弁させると、吐水口側水路２１２Ｂを含む主水路２１２内の水が給水配管側へ若しくは吐水口２０６を通じて外部に水抜きされる。
【００１０】
またその状態で電磁弁２２０を開弁させると、遮断状態にあったパイロット水路２１８が開放状態となって空気が導入され、背圧室２１６内の水がパイロット水路２１８内の水とともに主水路２１２側に流れ出して、同部分の水抜きが行われる。
【００１１】
この種の自動水栓は、従来上記のように主として公共の場所に設置されているが、近年家庭用の自動水栓も検討されており、この場合かかる自動水栓を水栓本体が手洗器やカウンター等の取付基体の表側に露出する状態に設け、そしてその水栓本体に上記の主弁，背圧室，パイロット水路，パイロット弁等を備えた形態で構成することが望ましい。
【００１２】
ところがこのようにして取付基体の表側に露出した水栓本体自体に主弁や背圧室，パイロット水路や電磁弁等のパイロット弁等を設けた形態とすると、かかる水栓本体に対して上記のような水抜機構を設けることが難しくなる。
取付基体から露出した水栓本体は直接使用者の目に触れるものであって美観の重視されるものであり、そのような水栓本体に対して主弁を直接押し上げるための水抜機構を設けることが、美観上或いは形状ないし構造上の制約から難しくなってしまう。
【００１３】
以上自動水栓を例として述べたが、主水路上に設けた主弁，背圧室，パイロット水路，これを開閉するパイロット弁等を備えて成る他の水栓についても事情は同様である。
【００１４】
尚、下記特許文献１には水栓を開くのに応じてガスバーナへのガス流路上に設けた水圧応動弁を開かせる水圧応動装置についての発明が示され、そこにおいてダイヤフラムにて区画された１次室と２次室とに満たされている水を、水抜栓を開くことによって共通に水抜きするようになした点が開示されている。
【００１５】
しかしながらこの特許文献１に開示のものは、主弁をパイロット操作するためのパイロット水路やそのパイロット水路上の電磁弁等のパイロット弁を備えておらず、それら背圧室やパイロット水路内の水を抜くことを可能とすることを目的とする本発明とは異なったものである。
【００１６】
【特許文献１】特開２００２−８１７４５号公報
【発明の開示】
【発明が解決しようとする課題】
【００１７】
本発明は以上のような事情を背景とし、カウンター等の取付基体の表側に水栓本体を露出する状態で設けた場合においても、支障なく水抜きを行うことができ、しかも水栓本体の美観を損うことのない水抜栓付水栓を提供することを目的としてなされたものである。
【課題を解決するための手段】
【００１８】
而して請求項１のものは、（イ）給水配管からの水を吐水口に導く主水路と、（ロ）該主水路上に設けられて該主水路を開閉する主弁と、（ハ）該主弁の背面側に形成されて該主弁に対し閉弁方向の圧力を作用させる背圧室と、（ニ）該背圧室と前記主水路における前記主弁より下流側の吐水口側水路とを連絡するパイロット水路と、（ホ）該パイロット水路上に設けられて該パイロット水路を開閉するパイロット弁と、を有し、該パイロット弁の開弁により該パイロット水路を開放して前記背圧室内の水を前記主水路の前記吐水口側水路に流し、前記主弁を開弁させて前記吐水口から吐水させる一方、該パイロット弁の閉弁により該パイロット水路を遮断し、該背圧室の圧力を増大させて該主弁を閉弁させる水栓において、前記吐水口側水路に連通する水抜孔と、該水抜孔を開閉する栓体とを有し、前記主弁を閉弁状態に維持したまま該吐水口側水路内の水を該水抜孔より水抜可能な水抜栓が備えてあることを特徴とする。
【００１９】
請求項２のものは、請求項１において、前記主弁がダイヤフラム弁であることを特徴とする。
【００２０】
請求項３のものは、請求項１，２の何れかにおいて、前記パイロット弁が電磁弁等の電気駆動弁であることを特徴とする。
【００２１】
請求項４のものは、請求項１〜３の何れかにおいて、前記主弁，背圧室，パイロット水路，パイロット弁及び水抜栓がカウンター等の取付基体の表側に露出した水栓本体に設けてあることを特徴とする。
【００２２】
請求項５のものは、請求項１〜４の何れかにおいて、前記水栓がセンサを備え、該センサによる人体感知に基づいて自動的に吐水する自動水栓であることを特徴とする。
【００２３】
請求項６のものは、請求項１〜５の何れかにおいて、操作力の入力により前記パイロット弁を開弁させ且つ該操作力が除かれた後においても該パイロット弁を設定時間開弁状態に保持させるスイッチが設けてあることを特徴とする。
【発明の作用・効果】
【００２４】
以上のように本発明は、主弁を開閉操作するための背圧室とパイロット水路とパイロット弁とを有する水栓において、吐水口側水路に連通する水抜孔とこれを開閉する栓体とを有し、主弁を閉弁状態に維持したまま吐水口側水路内の水を水抜孔より水抜可能な水抜栓を備えたものである。
【００２５】
かかる本発明の水栓の場合、水抜栓を開いて水抜孔を開放することで、水栓における吐水口側水路内の水を抜くことができる。
そしてその状態で且つ給水配管側の水を抜いた状態で、パイロット弁を開弁させてパイロット水路を開放すると、ここにおいて吐水口側水路からパイロット水路への空気の導入により、水栓本体内且つ主水路における主弁よりも上流側である配管側水路内の水が給水配管側へと抜き出されるとともに、併せて背圧室内に閉じ込められていた水がパイロット水路内の水とともに良好に主水路側に、更には外部へと抜き出される。
【００２６】
従って本発明の水栓では、従来のようにダイヤフラム弁等の主弁を強制的に押し上げて開弁させるための水抜機構を不要となすことができる。
従って上記の主弁，背圧室，パイロット水路，パイロット弁等を備えた形態で且つカウンター等の取付基体の表側に露出する状態で水栓本体を設置した場合において、水栓本体の美観を良好に保持することができる（請求項４）。
換言すれば、主弁，背圧室，パイロット水路，パイロット弁等を備えた形態で水栓本体をカウンター等の取付基体の表側に露出する状態で設けることが可能となる。
【００２７】
ここで上記主弁は好適にはダイヤフラム弁にて構成することができる（請求項２）。
また上記パイロット弁は好適には電磁弁等の電気駆動弁にて構成することができる（請求項３）。
【００２８】
本発明は、センサによる人体感知に基づいて自動的に吐水する自動水栓に適用して好適なものである（請求項５）。
この場合、センサの前方に手を差し出すことで、即ちセンサに手をかざすことでパイロット弁を開弁させて水抜きを行うことができる。
【００２９】
但し本発明においては、操作力の入力によりパイロット弁を開弁させ且つ操作力が除かれた後においてもパイロット弁を設定時間開弁状態に保持させるスイッチを設けておくことができる（請求項６）。
この場合には、例えば水栓を自動水栓として構成した場合においてセンサの前方に長い時間手をかざし続けなくても、単にスイッチを１回オン操作するだけで、設定した長い時間パイロット弁を開弁状態に保持することができ、背圧室，パイロット水路内の水等の水抜きを確実に行わせることができる。
【発明を実施するための最良の形態】
【００３０】
次に本発明の実施形態を図面に基づいて詳しく説明する。
図１及び図２において、１０は自動水栓（水栓）で、１２はその水栓本体である。
水栓本体１２はカウンター等の取付基体の上面１４から起立する状態で設置されている。即ち水栓本体１２は取付基体の表側に露出する状態で設置されている。
【００３１】
図１及び図２に示しているように、水栓本体１２の先端部下面には吐水口１６が設けられており、更にその近傍位置にセンサ１８が前方斜め下向きに向けて設けられている。
この自動水栓１０にあっては、センサ１８による人体（使用者）、具体的には差し出された手の感知・非感知に基づいて吐水口１６から自動的に吐水し又は吐水停止する。
【００３２】
水栓本体１２の上面には押ボタン式のスイッチ２１が設けられている。
この自動水栓１０にあっては、スイッチ２１をオン操作すること（操作力の入力）によっても吐水口１６から吐水させることができる。具体的にはスイッチ２１をオン操作することで、後述の電磁弁３２を開弁させて吐水口１６から吐水開始することができる。
【００３３】
この場合スイッチ２１から手を離しても、即ちスイッチ２１に対する操作力が除かれた後においても電磁弁３２は設定時間（ここでは１０分間）開弁状態に保持され、従って吐水口１６からはその設定時間吐水が継続される。
そして設定時間経過すると自動的に電磁弁３２が閉弁されて吐水口１６からの吐水が停止する。
【００３４】
図２において、２４は制御基板で、センサ１８，スイッチ２１及び電磁弁３２等がこの制御基板２４に電気的に接続されている。
【００３５】
水栓本体１２の内部には、給水配管からの水を吐水口１６に導く主水路２０が設けられており、図４にも示しているようにその主水路２０上に主弁としてのダイヤフラム弁２２が配設されている。
２６は主水路２０上に設けられた弁座で、この弁座２６に対しダイヤフラム弁２２が着座することで、主水路２０がダイヤフラム弁２２より上流側の配管側水路２０Ａと、それより下流側の吐水口側水路２０Ｂとに遮断されるようになっている。
【００３６】
２８はそのダイヤフラム弁２２の背面側に形成された背圧室で、ダイヤフラム弁２２はこの背圧室２８の圧力（水圧）によって閉弁させられ且つ閉弁状態に保持される。
３０はこの背圧室２８と主水路２０における吐水口側水路２０Ｂとを連絡するパイロット水路で、このパイロット水路３０上にプランジャ弁体３１を有するパイロット弁としての電磁弁３２が、パイロット水路３０を開閉可能に配設されている。
【００３７】
本実施形態の自動水栓１０にあっては、電磁弁３２の開弁によってパイロット水路３０が開放されると、背圧室２８内の水がパイロット水路３０を通じて主水路２０における吐水口側水路２０Ｂへと流れ出す。
これにより、図５に示しているように背圧室２８内の圧力が消失してダイヤフラム弁２２が給水圧により開弁させられる。即ち主水路２０が開放される。
ここにおいて配管側水路２０Ａから吐水口側水路２０Ｂに水が流通して、吐水口１６から吐水される。
【００３８】
一方電磁弁３２の閉弁によってパイロット水路３０が遮断されると、配管側水路２０Ａの水がダイヤフラム弁２２を貫通して設けられた連通孔３４を通じ背圧室２８内に流入し、これにより背圧室２８の圧力が漸次増大して、その増大した圧力によってダイヤフラム弁２２が閉弁させられる（図４参照）。
ここにおいて主水路２０が配管側水路２０Ａと吐水口側水路２０Ｂとに遮断された状態となって、吐水口１６からの吐水が停止する。
【００３９】
本実施形態の自動水栓１０では、配管側水路２０Ａ上に湯水混合弁３６（図１，図３参照）が設けられている。
この湯水混合弁３６は、図２における水，湯の各水路３８を通じて送られて来た水，湯を所定比率で混合して、その混合水を下流側即ちダイヤフラム弁２２側に供給する。
尚これら水，湯の各水路３８は配管側水路２０Ａの一部を成すものである。
【００４０】
図３は湯水混合弁３６の構成を示したもので、この湯水混合弁３６は、図２における水，湯の各水路３８の上端開口４０に連通した流入口４２を一対有する（図３では一方のみが示されている）固定弁体４４と、その面上を摺動する可動弁体４６とを有している。
可動弁体４６には混合室４８が形成されており、一対の水，湯の流入口４２から流入した水と湯とをその混合室４８で混合する。
【００４１】
混合室４８からの混合水は、固定弁体４４の流出口５０を通じてその下端の開口５２から配管側水路２０Ａ、詳しくは湯水混合弁３６よりも下流側の水路へと流出して、主弁としてのダイヤフラム弁２２側に到る。
【００４２】
この湯水混合弁３６における可動弁体４６は、ハンドル５４の操作によって固定弁体４４上を摺動するようになっている。
而してそのハンドル５４の操作によって水と湯との混合比率を変化させ、混合水の温度を低温から高温へ若しくは高温から低温へと変化させる。
【００４３】
この湯水混合弁３６はまた、固定弁体４４における一対の水，湯の流入口４２からの水，湯の流入を遮断して止水する機能も備えている。
但しこの自動水栓１０は、この湯水混合弁３６を常時開状態に保持した状態で使用される。
【００４４】
図４，図５に詳しく示しているように、水栓本体１２にはその下面側に水抜栓５６が設けられている。
この水抜栓５６は、主水路２０における吐水口側水路２０Ｂに連通する水抜孔５８と、その水抜孔５８を開閉する栓体６０とを有している。
【００４５】
栓体６０には回転操作つまみ６２が設けられており、この回転操作つまみ６２を回転操作することで、栓体６０が軸方向にねじ送りで進退する。
そしてその前進時において栓体６０に装着したシール部材６４が水抜孔５８を形成する筒体６５の弁座６６に着座して水抜孔５８を閉鎖する。
【００４６】
本例の自動水栓１０では、センサ１８の前方に手を差し出すとセンサ１８がこれを感知し、これに基づいて制御基板２４からパイロット弁としての電磁弁３２に開弁信号が送られて電磁弁３２が開弁する。
そして電磁弁３２が開弁することによって主弁としてのダイヤフラム弁２２が開弁し、吐水口１６からの吐水が開始される。
【００４７】
ここで電磁弁３２はラッチ式の弁、即ち開弁後においては開弁状態を、閉弁後においては閉弁状態を保持するラッチ式の弁とされており、電磁弁３２に開弁信号が送られて電磁弁３２が開弁した後はその後開弁状態を保持する。従って吐水口１６からの吐水が以後も継続される。
【００４８】
この状態でセンサ１８の前方から手を引き戻すと、センサ１８が手を非感知となって電磁弁３２に閉弁信号が送られ、ここにおいて電磁弁３２の閉弁、続いてダイヤフラム弁２２の閉弁が行われて、吐水口１６からの吐水が停止する。
【００４９】
本実施形態の自動水栓１０はまた、吐水を開始するためのスイッチ２１も備えており、そのスイッチ２１をオン操作することによっても電磁弁３２が開弁して、吐水口１６からの吐水が行われる。
【００５０】
本実施形態では、前述したように電磁弁３２はその後設定時間、具体的には１０分間開弁状態に保持され、吐水口１６からは１０分間吐水が継続される。
そして制御基板２４に備えられたタイマが１０分後にタイムアップすると、電磁弁３２に閉弁信号が送られて自動的に電磁弁３２が閉弁され、ここにおいて吐水口１６からの吐水が停止する。
【００５１】
次に水栓本体１２内の水抜きを行う際の手順を各部の作用とともに以下に説明する。
寒冷地においては、凍結による給水配管や機器損傷防止のために給水配管側において水抜操作が行われる。即ち給水配管内の水を抜く操作が行われる。
【００５２】
但し給水配管側の水を抜いても水栓本体１２内の水はそのまま残った状態となる。
従ってその状態で水栓本体１２内で残っている水が凍結すると、その凍結の際の水の膨張によって機器が損傷してしまう。
【００５３】
ここにおいて本実施形態では、水抜栓５６を操作して先ず吐水口側水路２０Ｂ内の水を抜く操作を行う。
具体的には、ダイヤフラム弁２２を閉弁状態に維持したまま水抜栓５６の回転操作つまみ６２を回転操作して栓体６０を後退させ、水抜孔５８を開放させる（図６（Ｉ）（II））。すると吐水口側水路２０Ｂ内に残っている水が水抜きされて、吐水口側水路２０Ｂが空の状態となる。図６（II）はこのときの状態を表している。
【００５４】
図６（II）に示しているように、このようにして吐水口側水路２０Ｂの水を抜いたとしても、水栓本体１２における配管側水路２０Ａ及び背圧室２８，パイロット水路３０内の水は未だ残ったままである。
【００５５】
そこで次に、図７（III）（Ａ）に示すようにスイッチ２１をオン操作して電磁弁３２を開弁させる。
ここにおいて遮断状態にあったパイロット水路３０が開放状態となって、パイロット水路３０内に吐水口側水路２０Ｂの空気が導入され、その空気の導入により水栓本体１２内における配管側水路２０Ａ内の水，背圧室２８内の水及びパイロット水路３０内の水が給水配管側へと流れ落ちて、水栓本体１２内に残っていた水が良好に水抜きされる。
【００５６】
このときスイッチ２１の操作によって開弁した電磁弁３２は、その後も設定時間開弁状態を保持する。
その設定時間はここでは１０分程度の長い時間とされており、配管側水路２０Ａ，背圧室２８及びパイロット水路３０内の水はその間に確実に水抜きされる。
【００５７】
尚、センサ１８の前方に手を差し出すことによって電磁弁３２を開き、これによって水抜きを行うことも可能であるが、確実に水抜きが行われるまでの間、手をセンサ１８の前方にかざし続けなければならない。
【００５８】
しかるにスイッチ２１の操作によって電磁弁３２を開く場合には、一旦スイッチ２１をオン操作した後はそこから手を離しても、即ち操作力を解除しても、電磁弁３２はその後も開弁状態に保持されるから、単にスイッチ２１を１回オン操作するだけで設定した長い時間電磁弁３２を開弁状態に保持することができ、水抜きの際の操作を極めて楽に行うことができる。
【００５９】
以上のような本実施形態の自動水栓１０では、水抜栓５６を開き、更に電磁弁３２を開弁させてパイロット水路３０を開放させることで、背圧室２８内の水，パイロット水路３０内の水を含む水栓本体１２内の水を良好に排出し、水抜きを行うことができる。
【００６０】
従って従来のようにダイヤフラム弁等の主弁を強制的に押し上げて開弁させるための水抜機構を必要とせず、水栓本体１２の美観を良好に保持することができる。
換言すれば、ダイヤフラム弁２２，背圧室２８，パイロット水路３０，電磁弁３２等を備えた形態で、水栓本体１２をカウンター等の取付基体の表側に露出する状態で設けることができる。
【００６１】
尚、上記実施形態では電磁弁３２にてパイロット弁を構成しているが、その他の電気駆動弁等にてパイロット弁を構成することも可能であるし、またダイヤフラム弁２２以外の弁にて主弁を構成することも可能である。
また本実施形態は、センサ１８による人体感知に基づいて自動的に吐水する自動水栓１０の例であるが、本発明は主水路，主弁，背圧室，パイロット水路，パイロット弁を備えた形態の水栓一般に適用することが可能である。
【００６２】
その他本発明は、その趣旨を逸脱しない範囲において種々変更を加えた形態で構成可能である。
【図面の簡単な説明】
【００６３】
【図１】本発明の一実施形態である自動水栓を外観状態で示す斜視図である。
【図２】同実施形態の自動水栓の側面断面図である。
【図３】同実施形態における湯水混合弁と周辺部の要部平面（一部断面）図である。
【図４】同実施形態における要部断面図である。
【図５】同実施形態の要部を図４とは異なる状態で示す断面図である。
【図６】同実施形態の作用説明図である。
【図７】図６に続く作用説明図である。
【図８】従来の水抜機構を備えた自動水栓を示す図である。
【図９】図８の要部を示す図である。
【符号の説明】
【００６４】
１０  自動水栓（水栓）
１２  水栓本体
１４  取付基体の上面
１６  吐水口
１８  センサ
２０  主水路
２０Ｂ  吐水口側水路
２１  スイッチ
２２  ダイヤフラム弁（主弁）
２８  背圧室
３０  パイロット水路
３２  電磁弁（パイロット弁）
５６  水抜栓
５８  水抜孔
６０  栓体
【図１】
2005232829.tif 000003
【図２】
2005232829.tif 000004
【図３】
2005232829.tif 000005
【図４】
2005232829.tif 000006
【図５】
2005232829.tif 000007
【図６】
2005232829.tif 000008
【図７】
2005232829.tif 000009
【図８】
2005232829.tif 000010
【図９】
2005232829.tif 000011